(57)【特許請求の範囲】
【請求項１】
放射線源から照射され被写体を透過した放射線を検出し、放射線画像情報に変換する放射線変換パネルを有するカセッテにおいて、
前記カセッテには、前記被写体の体動を検出可能な検出手段を備え、前記検出手段による前記体動の検出基準は、放射線画像が撮影される前記被写体の撮影部位に応じて変更自在に設定されることを特徴とするカセッテ。
【請求項２】
請求項１記載のカセッテにおいて、
前記検出手段による検出結果に基づき、前記被写体が前記放射線源に対して相対変位した場合に警告を行う警告手段を備えることを特徴とするカセッテ。
【請求項３】
請求項１又は２記載のカセッテにおいて、
前記検出手段は、前記被写体から前記カセッテに付与される圧力変化を検出可能な圧力センサからなることを特徴とするカセッテ。
【請求項４】
請求項１又は２記載のカセッテにおいて、
前記検出手段は、前記被写体から前記カセッテに付与される振動を検出可能な振動センサからなることを特徴とするカセッテ。
【請求項５】
請求項１又は２記載のカセッテにおいて、
前記検出手段は、前記カセッテに対する前記被写体の接触を検出可能な接触センサからなることを特徴とするカセッテ。
【請求項６】
請求項１記載のカセッテにおいて、
前記検出基準は、前記被写体に対する撮影条件に応じて設定されることを特徴とするカセッテ。
【請求項７】
放射線源から照射され被写体を透過した放射線を検出し、放射線画像情報に変換する放射線変換パネルを有するカセッテと、
前記カセッテに設けられ、前記被写体の体動を検出可能な検出手段と、
前記検出手段による検出結果に基づき、前記被写体が前記放射線源に対して相対変位した場合に撮影作業を禁止する撮影禁止手段と、
を備え、
前記検出手段による前記体動の検出基準は、放射線画像が撮影される前記被写体の撮影部位に応じて変更自在に設定されることを特徴とする放射線画像撮影システム。
【請求項８】
請求項７記載のシステムにおいて、
前記検出手段による検出結果に基づき、前記被写体が前記放射線源に対して相対変位した場合に警告を行う警告手段を備えることを特徴とする放射線画像撮影システム。
【請求項９】
請求項７又は８記載のシステムにおいて、
前記検出手段は、前記カセッテに付与される圧力変化を検出可能な圧力センサからなることを特徴とする放射線画像撮影システム。
【請求項１０】
請求項７又は８記載のシステムにおいて、
前記検出手段は、前記カセッテに付与される振動を検出可能な振動センサからなることを特徴とする放射線画像撮影システム。
【請求項１１】
請求項７又は８記載のシステムにおいて、
前記検出手段は、前記カセッテに対する前記被写体の接触を検出可能な接触センサからなることを特徴とする放射線画像撮影システム。
【発明の詳細な説明】
【技術分野】
【０００１】
本発明は、被写体を透過した放射線を放射線画像情報に変換する放射線変換パネルを有するカセッテ及び放射線画像撮影システムに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
このような放射線画像撮影システムでは、例えば、臥位用テーブルに臥位した患者の上方にＸ線を曝射可能な放射線源が配置されると共に、前記臥位用テーブルと患者との間には、Ｘ線を強度に比例した可視光に変換する蛍光体、可視光を光強度に比例した電気信号に変換する光電変換部を備えた電子カセッテが配置されている。そして、放射線源から照射されたＸ線が患者の患部を透過し、そのＸ線を電子カセッテの蛍光体で受光して前記光電変換部で電気信号へと変換することによって画像信号が生成される（例えば、特許文献１参照）。
【０００５】
【特許文献１】特開２００２−２４８０９５号公報
【発明の開示】
【発明が解決しようとする課題】
【０００６】
ところで、特許文献１に係る従来技術では、臥位用テーブルと患者との間において、該患者の患部に対応する所定位置に電子カセッテを配置して撮影を行っているが、Ｘ線が患者に照射された撮影中に該患者が動いてしまった場合には、撮影された放射線画像にブレが生じてしまうため、前記電子カセッテを用いた適切な放射線画像が得られないという問題がある。さらに、上述したように放射線画像の撮影が失敗してしまった場合には、新たな電子カセッテを用いて再び撮影作業をやり直す必要が生じて煩雑であると共に、撮影作業の効率が低下してしまう。
【０００７】
本発明は、前記の課題を考慮してなされたものであり、被写体の体動を検知した場合に撮影作業を禁止することにより、誤撮影を防止して適切な放射線画像を得ることが可能なカセッテ及び放射線画像撮影システムを提供することを目的とする。
【課題を解決するための手段】
【０００８】
前記の目的を達成するために、本発明は、放射線源から照射され被写体を透過した放射線を検出し、放射線画像情報に変換する放射線変換パネルを有するカセッテにおいて、
前記カセッテには、前記被写体の体動を検出可能な検出手段を備えることを特徴とする。
【０００９】
また、本発明は、放射線源から照射され前記被写体を透過した放射線を検出し、放射線画像情報に変換する放射線変換パネルを有するカセッテと、
前記カセッテに設けられ、前記被写体の体動を検出可能な検出手段と、
前記検出手段による検出結果に基づき、前記被写体が前記放射線源に対して相対変位した場合に撮影作業を禁止する撮影禁止手段と、
を備えることを特徴とする。
【発明の効果】
【００１０】
本発明によれば、被写体を挟んで放射線源に臨むようにカセッテが設置され、前記被写体の体動によって前記カセッテに付与される荷重を該カセッテに設けられた検出手段によって検出すると共に、前記検出手段による検出結果に基づいて前記被写体が前記放射線源に対して相対変位した場合に事前に察知することができる。従って、このような被写体が体動によって放射線源に対して移動した場合に、撮影禁止手段によって撮影作業を禁止することにより、前記カセッテに対する誤撮影が防止されて常に適切な放射線画像を得ることが可能となる。
【発明を実施するための最良の形態】
【００１１】
図１及び図２は、本実施の形態に係る放射線画像撮影システム１０が設置された手術室１２の説明図である。手術室１２には、放射線画像撮影システム１０に加えて、患者（被写体）１４が横臥する手術台１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１２】
放射線画像撮影システム１０は、撮影条件に従った線量からなる放射線Ｘを患者１４に照射する撮影装置２２と、患者１４を透過した放射線Ｘを検出する放射線検出器（放射線変換パネル）４０（後述する）を内蔵した放射線検出カセッテ２４と、放射線検出器４０によって検出された放射線Ｘに基づく放射線画像を表示する表示装置２６と、撮影装置２２、放射線検出カセッテ２４及び表示装置２６を制御するコンソール２８とを備える。撮影装置２２、放射線検出カセッテ２４、表示装置２６及びコンソール２８間では、無線通信による信号の送受信が行われる。
【００１３】
撮影装置２２は、自在アーム３０によって移動自在に設けられ、患者１４の撮影部位に応じた所望の位置に移動可能であると共に、医師１８による手術の邪魔とならない位置に待避可能である。同様に、表示装置２６は、自在アーム３２に連結され、撮影された放射線画像を医師１８が容易に確認できる位置に移動可能である。
【００１４】
図３は、放射線検出カセッテ２４の内部構成図である。放射線検出カセッテ２４は、放射線Ｘを透過させる材料からなるケーシング３４を備える。ケーシング３４の内部には、放射線Ｘが照射されるケーシング３４の照射面３６側から、患者１４による放射線Ｘの散乱線を除去するグリッド３８、患者１４を透過した放射線Ｘを検出する放射線検出器４０、及び、放射線Ｘのバック散乱線を吸収する鉛板４２が順に配設される。なお、ケーシング３４の照射面３６をグリッド３８として構成してもよい。
【００１５】
また、ケーシング３４の内部には、放射線検出カセッテ２４の電源であるバッテリ４４と、バッテリ４４から供給される電力により放射線検出器４０を駆動制御するカセッテ制御部４６と、放射線検出器４０によって検出した放射線Ｘの情報を含む信号をコンソール２８との間で送受信する送受信機４８と、放射線検出カセッテ２４に対して外部から付与される荷重を検出可能な検出部（検出手段）５０とが収容される。
【００１６】
この検出部５０は、例えば、ケーシング３４に対して付与された圧力（荷重）を検出可能な圧力センサからなり、前記検出部５０によって検出された圧力値（荷重値）が検出信号としてカセッテ制御部４６へと出力される。
【００１７】
なお、カセッテ制御部４６、送受信機４８及び検出部５０には、放射線Ｘが照射されることによる損傷を回避するため、ケーシング３４の照射面３６側に鉛板４２等を配設しておくことが好ましい。
【００１８】
図４は、放射線検出器４０の回路構成ブロック図である。放射線検出器４０は、放射線Ｘを感知して電荷を発生させるアモルファスセレン（ａ−Ｓｅ）等の物質からなる光電変換層５３を行列状の薄膜トランジスタ（ＴＦＴ：Ｔｈｉｎ  Ｆｉｌｍ  Ｔｒａｎｓｉｓｔｏｒ）５４のアレイの上に配置した構造を有し、発生した電荷を蓄積容量５５に蓄積した後、各行毎にＴＦＴ５４を順次オンにして、電荷を画像信号として読み出す。図４では、光電変換層５３及び蓄積容量５５からなる１つの画素５２と１つのＴＦＴ５４との接続関係のみを示し、その他の画素５２の構成については省略している。なお、アモルファスセレンは、高温になると構造が変化して機能が低下してしまうため、所定の温度範囲内で使用する必要がある。従って、放射線検出カセッテ２４内に放射線検出器４０を冷却する手段を配設することが好ましい。
【００１９】
各画素５２に接続されるＴＦＴ５４には、行方向と平行に延びるゲート線５６と、列方向と平行に延びる信号線５８とが接続される。各ゲート線５６は、ライン走査駆動部６０に接続され、各信号線５８は、読取回路を構成するマルチプレクサ６８に接続される。
【００２０】
ゲート線５６には、行方向に配列されたＴＦＴ５４をオンオフ制御する制御信号Ｖｏｎ、Ｖｏｆｆがライン走査駆動部６０から供給される。この場合、ライン走査駆動部６０は、ゲート線５６を切り替える複数のスイッチＳＷ１と、スイッチＳＷ１の１つを選択する選択信号を出力するアドレスデコーダ６２とを備える。アドレスデコーダ６２には、カセッテ制御部４６からアドレス信号が供給される。
【００２１】
また、信号線５８には、列方向に配列されたＴＦＴ５４を介して各画素５２の蓄積容量５５に保持されている電荷が流出する。この電荷は、増幅器６４によって増幅される。増幅器６４には、サンプルホールド回路６６を介してマルチプレクサ６８が接続される。マルチプレクサ６８は、信号線５８を切り替える複数のスイッチＳＷ２と、スイッチＳＷ２の１つを選択する選択信号を出力するアドレスデコーダ７０とを備える。アドレスデコーダ７０には、カセッテ制御部４６からアドレス信号が供給される。マルチプレクサ６８には、Ａ／Ｄ変換器７２が接続され、Ａ／Ｄ変換器７２によってデジタル信号に変換された放射線画像情報がカセッテ制御部４６に供給される。
【００２２】
図５は、撮影装置２２、放射線検出カセッテ２４、表示装置２６及びコンソール２８からなる放射線画像撮影システム１０の構成ブロック図である。
【００２３】
撮影装置２２は、撮影スイッチ７４と、放射線Ｘを出力する放射線源７６と、コンソール２８から無線通信により撮影条件を受信する一方、コンソール２８に対して無線通信による撮影完了信号等を送信する送受信機７８と、撮影スイッチ７４から供給される撮影開始信号及び送受信機７８から供給される撮影条件に基づいて放射線源７６を制御する線源制御部８０とを備える。
【００２４】
放射線検出カセッテ２４には、放射線検出器４０、バッテリ４４、カセッテ制御部４６、送受信機４８及び検出部５０が収容される。
【００２５】
このカセッテ制御部４６は、放射線検出器４０を構成するライン走査駆動部６０のアドレスデコーダ６２及びマルチプレクサ６８のアドレスデコーダ７０に対してアドレス信号を供給するアドレス信号発生部８２と、放射線検出器４０によって検出された放射線画像情報を記憶する画像メモリ８４と、当該放射線検出カセッテ２４を特定するためのカセッテＩＤ情報を記憶するカセッテＩＤメモリ８６と、前記検出部５０によって検出された検出結果が入力され、撮影時における患者１４の体動の有無を判定する状態判定部８８とを備える。
【００２６】
この状態判定部８８は、検出部５０の検出結果に基づいて放射線検出カセッテ２４に付与された荷重値Ｆが入力され、その荷重値Ｆに基づいた患者１４の体動量が算出されると共に、その体動量から前記患者１４が撮影装置２２に臨んだ撮影姿勢Ｓ（図２参照）から動いたか否かが判定される。
【００２７】
すなわち、状態判定部８８は、放射線検出カセッテ２４に付与された荷重値Ｆに基づいて患者１４が撮影前において体動したか否かを判定する判定手段として機能する。
【００２８】
送受信機４８は、コンソール２８から無線通信により送信要求信号を受信する一方、前記コンソール２８に対して、カセッテＩＤメモリ８６に記憶されたカセッテＩＤ情報、画像メモリ８４に記憶された放射線画像情報、検出部５０によって検出された荷重値Ｆに基づいて状態判定部８８で判定された判定結果を無線通信により送信する。
【００２９】
表示装置２６は、コンソール２８から放射線画像情報を受信する受信機９０と、受信した放射線画像情報の表示制御を行う表示制御部９２と、前記表示制御部９２によって処理された放射線画像情報を表示する表示部（警告手段）９４とを備える。
【００３０】
コンソール２８は、撮影装置２２、放射線検出カセッテ２４及び表示装置２６に対して、放射線画像情報等を含む必要な情報を無線通信により送受信する送受信機９６と、撮影装置２２による撮影に必要な撮影条件を管理する撮影条件管理部９８と、放射線検出カセッテ２４から送信された放射線画像情報に対する画像処理を行う画像処理部１００と、処理した放射線画像情報を記憶する画像メモリ１０２と、撮影対象である患者１４の患者情報を管理する患者情報管理部１０４と、放射線検出カセッテ２４から送信されたカセッテ情報を管理するカセッテ情報管理部１０６とを備える。
【００３１】
なお、コンソール２８は、撮影装置２２、放射線検出カセッテ２４及び表示装置２６に対して無線通信による信号の送受信を行うことができるのであれば、手術室１２の外に設置してもよい。
【００３２】
本実施の形態の放射線画像撮影システム１０は、基本的には以上のように構成されるものであり、次にその動作について説明する。
【００３３】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１０４に予め登録される。また、撮影部位や撮影方法が予め決まっている場合には、これらの撮影条件を撮影条件管理部９８に予め登録しておく。以上の準備作業が終了した状態において、患者１４に対する手術が遂行される。
【００３４】
手術中において放射線画像の撮影を行う場合、医師１８又は担当する放射線技師は、患者１４と手術台１６との間の所定位置に、照射面３６を撮影装置２２側とした状態で放射線検出カセッテ２４を設置する。
【００３５】
次いで、撮影装置２２を放射線検出カセッテ２４に対向する位置に移動させた後、撮影スイッチ７４を操作して撮影を行う。
【００３６】
この際、撮影スイッチ７４が操作されて放射線画像の撮影が開始されてから完了するまでには所定時間ｔを要する。詳細には、患者１４の撮影部位や撮影条件等に応じて放射線Ｘの照射時間が異なる。例えば、患者１４の胸部撮影を行う場合には、心臓の鼓動によるブレが懸念されるため、前記照射時間が短めに設定される。
【００３７】
この放射線画像の撮影中に患者１４が動いた場合には（図２中、二点鎖線形状参照）、該患者１４の体動による荷重が放射線検出カセッテ２４に対して付与され、この荷重が検出部５０によって検出される。そして、検出部５０による検出結果が検出信号としてカセッテ制御部４６の状態判定部８８へと出力され、前記状態判定部８８において患者１４が撮影中に所定の撮影姿勢Ｓから動いたか否かが判定される。
【００３８】
この状態判定部８８における患者１４の体動したか否かの判定基準は、撮影装置２２による撮影時間、すなわち、放射線源７６による放射線Ｘの照射時間の長さに応じて設定される。この放射線Ｘの照射時間が長い場合には、許容される患者の体動量は小さく、前記照射時間が短い場合には、許容される患者１４の体動量が大きくなる。
【００３９】
そのため、検出部５０で検出された荷重に基づいた患者１４の体動量と、撮影条件管理部９８において予め設定された放射線Ｘの照射時間とから前記患者１４が所定の撮影姿勢Ｓから体動したと判定された場合には、撮影装置２２からの放射線Ｘが、患者１４の患部及び放射線検出カセッテ２４の放射線検出器４０に対して照射されることがなく、所望の放射線画像の撮影が行われないおそれがあるとして、前記状態判定部８８から送受信機４８、９６を介して出力信号がコンソール２８へと出力され、放射線検出カセッテ２４が所定位置に配置されていないことを警告として、前記コンソール２８、表示装置２６等に表示させると共に、前記出力信号に基づいてコンソール２８から撮影装置２２の線源制御部８０へと制御信号を出力し、前記撮影装置２２による撮影作業を禁止する。すなわち、状態判定部８８は、検出部５０による検出結果に基づいて撮影装置２２の撮影を規制可能な撮影禁止手段としても機能する。
【００４０】
このような場合には、コンソール２８、表示装置２６等に表示された警告表示に基づいて、撮影作業を一旦中止して患者１４を所定の撮影姿勢Ｓへと復帰させた後、再び撮影作業を行う。
【００４１】
一方、撮影中において検出部５０で荷重が検出されなかった場合、又は、放射線Ｘの照射時間との関係から患者１４の体動量が許容範囲以下であると判定された場合には、前記患者１４が所定の撮影姿勢Ｓを維持したままの状態で静止しているか、その体動量が撮影される放射線画像にブレが生じさせることがないと判断され、撮影作業が継続される。
【００４２】
上述したように、撮影中における患者１４の体動の有無を継続的に検知しながら撮影作業が行われる。撮影装置２２の線源制御部８０は、送受信機７８、９６を介して、コンソール２８の撮影条件管理部９８より当該患者１４の撮影部位に係る撮影条件を無線通信により取得し、取得した撮影条件に従って放射線源７６を制御することにより、所定の線量からなる放射線Ｘを患者１４に照射する。
【００４３】
患者１４を透過した放射線Ｘは、放射線検出カセッテ２４のグリッド３８によって散乱線が除去された後、放射線検出器４０に照射され、放射線検出器４０を構成する各画素５２の光電変換層５３によって電気信号に変換され、蓄積容量５５に電荷として保持される（図４参照）。次いで、各蓄積容量５５に保持された患者１４の放射線画像情報である電荷情報は、カセッテ制御部４６を構成するアドレス信号発生部８２からライン走査駆動部６０及びマルチプレクサ６８に供給されるアドレス信号に従って読み出される。
【００４４】
すなわち、ライン走査駆動部６０のアドレスデコーダ６２は、アドレス信号発生部８２から供給されるアドレス信号に従って選択信号を出力してスイッチＳＷ１の１つを選択し、対応するゲート線５６に接続されたＴＦＴ５４のゲートに制御信号Ｖｏｎを供給する。一方、マルチプレクサ６８のアドレスデコーダ７０は、アドレス信号発生部８２から供給されるアドレス信号に従って選択信号を出力してスイッチＳＷ２を順次切り替え、ライン走査駆動部６０によって選択されたゲート線５６に接続された各画素５２の蓄積容量５５に保持された電荷情報である放射線画像情報を信号線５８を介して読み出す。
【００４５】
各放射線検出器４０の選択されたゲート線５６に接続された各画素５２の蓄積容量５５から読み出された放射線画像情報は、各増幅器６４によって増幅された後、サンプルホールド回路６６によってサンプリングされ、マルチプレクサ６８を介してＡ／Ｄ変換器７２に供給され、デジタル信号に変換される。デジタル信号に変換された放射線画像情報は、カセッテ制御部４６の画像メモリ８４に一旦記憶された後、送受信機４８を介して、無線通信によりコンソール２８に送信される。
【００４６】
同様にして、ライン走査駆動部６０のアドレスデコーダ６２は、アドレス信号発生部８２から供給されるアドレス信号に従ってスイッチＳＷ１を順次切り替え、各ゲート線５６に接続されている各画素５２の蓄積容量５５に保持された電荷情報である放射線画像情報を信号線５８を介して読み出し、マルチプレクサ６８及びＡ／Ｄ変換器７２を介してカセッテ制御部４６の画像メモリ８４に記憶させる。
【００４７】
コンソール２８に送信された放射線画像情報は、送受信機９６によって受信され、画像処理部１００において所定の画像処理が施された後、患者情報管理部１０４に登録されている患者１４の患者情報と関連付けられた状態で画像メモリ１０２に記憶される。
【００４８】
また、画像処理の施された放射線画像情報は、送受信機９６から表示装置２６に送信される。受信機９０によって放射線画像情報を受信した表示装置２６は、表示制御部９２によって表示部９４を制御し、放射線画像を表示する。医師１８は、表示部９４に表示された放射線画像を確認しながら手術を遂行する。
【００４９】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００５０】
なお、上述した本実施の形態では、患者１４の体動によって放射線検出カセッテ２４に付与される荷重変化を検出する検出部５０として、圧力センサを用いる場合について説明したがこれに限定されるものではなく、例えば、前記検出部５０として、前記放射線検出カセッテ２４の振動を検出可能な振動センサや、前記放射線検出カセッテ２４に対する患者１４の接触を感知する接触センサを用いるようにしてもよい。また、検出部５０において、圧力センサ、振動センサ及び接触センサを同時に設け、それぞれの検出結果に基づいて複合的に患者１４の体動を検出するようにしてもよい。これにより、患者１４の撮影姿勢Ｓに対する体動をより一層高精度に検出することが可能となる。
【００５１】
さらに、上述した説明では、患者１４の体動が検出された場合に、状態判定部８８から送受信機４８を通じてコンソール２８へと出力して警告表示を該コンソール２８等に表示する構成としているが、例えば、放射線検出カセッテ２４を構成するケーシング３４に表示部を設け、状態判定部８８からの出力信号を前記表示部に出力し、前記患者１４が体動した場合の警告表示を放射線検出カセッテ２４に対して表示するようにしてもよいし、前記コンソール２８に設けた別の表示部に表示するようにしてもよい。
【００５２】
以上のように、本実施の形態では、放射線検出カセッテ２４の内部に、該放射線検出カセッテ２４に付与される荷重を検出可能な検出部５０を設け、患者１４と手術台１６との間に設置された前記放射線検出カセッテ２４に対して前記患者１４が動いた場合に付与される荷重を検出することにより、放射線画像の撮影中における前記患者１４の体動を察知することができる。従って、このような患者１４が所定の撮影姿勢Ｓに対して体動した場合に、撮影禁止手段によって撮影作業を禁止することにより、放射線画像にブレ等の生じた誤撮影が防止されて常に適切な放射線画像を得ることができる。
【００５３】
また、このような放射線画像の撮影中における患者１４の体動を検知した場合に、表示装置２６を構成する表示部９４に警告表示を行うことにより、前記警告表示を確実且つ容易に視認することが可能となる。
【００５４】
放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００５５】
放射線検出カセッテ２４は、手術室１２で使用される場合に限られるものではなく、例えば、検診や病院内での回診にも適用することができる。
【００５６】
また、放射線検出カセッテ２４と外部機器との間での無線通信は、通常の電波による通信に代えて、赤外線等を用いた光無線通信で行うようにしてもよい。
【００５７】
図６に示すように放射線検出カセッテ５００を構成すると、一層好適である。
【００５８】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体の位置決めを行い、また、放射線の照射範囲を設定することにより、放射線画像情報を適切な撮影領域に記録することができる。
【００５９】
放射線検出カセッテ５００の撮影領域外の部位には、当該放射線検出カセッテ５００に係る各種情報を表示する表示部５０６を配設する。この表示部５０６には、放射線検出カセッテ５００に記録される被写体のＩＤ情報、放射線検出カセッテ５００の使用回数、累積曝射線量、放射線検出カセッテ５００に内蔵されているバッテリ４４の充電状態（残容量）、放射線画像情報の撮影条件、被写体の放射線検出カセッテ５００に対するポジショニング画像等を表示させる。この場合、技師は、例えば、表示部５０６に表示されたＩＤ情報に従って被写体を確認するとともに、当該放射線検出カセッテ５００が使用可能な状態にあることを事前に確認し、表示されたポジショニング画像に基づいて被写体の所望の撮影部位を放射線検出カセッテ５００に位置決めして、最適な放射線画像情報の撮影を行うことができる。
【００６０】
また、放射線検出カセッテ５００に取手部５０８を形成することにより、当該放射線検出カセッテ５００の取り扱い、持ち運びが容易になる。
【００６１】
放射線検出カセッテ５００の側部には、ＡＣアダプタの入力端子５１０と、ＵＳＢ(Universal Serial Bus)端子５１２と、メモリカード５１４を装填するためのカードスロット５１６とを配設すると好適である。
【００６２】
入力端子５１０は、放射線検出カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該放射線検出カセッテ５００を直ちに使用可能な状態とすることができる。
【００６３】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００６４】
手術室１２や病院内の必要な個所には、図７に示すように、放射線検出カセッテ２４が装填され、内蔵されるバッテリ４４の充電を行うクレードル５１８を配置すると好適である。この場合、クレードル５１８は、バッテリ４４の充電だけでなく、クレードル５１８の無線通信機能又は有線通信機能を用いて、ＨＩＳ、ＲＩＳ、コンソール２８等の外部機器との間で必要な情報の送受信を行うようにしてもよい。送受信する情報には、クレードル５１８に装填された放射線検出カセッテ２４に記録された放射線画像情報を含めることができる。
【００６５】
また、クレードル５１８に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。
【００６６】
また、複数のクレードル５１８をネットワークに接続し、各クレードル５１８に装填されている放射線検出カセッテ２４の充電状態をネットワークを介して収集し、使用可能な充電状態にある放射線検出カセッテ２４の所在を確認できるように構成することもできる。
【００６７】
なお、本発明は、上述した実施形態に限定されるものではなく、本発明の主旨を逸脱しない範囲で自由に変更できることは勿論である。
【図面の簡単な説明】
【００６８】
【図１】本実施形態の放射線画像撮影システムが設置された手術室の説明図である。
【図２】図１の手術室を手術台の上方から見た状態を示す説明図である。
【図３】放射線検出カセッテの内部構成図である。
【図４】放射線検出器の回路構成ブロック図である。
【図５】放射線画像撮影システムの構成ブロック図である。
【図６】放射線検出カセッテの他の構成図である。
【図７】放射線カセッテの充電を行うクレードルの構成図である。
【符号の説明】
【００６９】
１０…放射線画像撮影システム        １２…手術室
１４…患者                          １６…手術台
２２…撮影装置                      ２４、５００…放射線検出カセッテ
２６…表示装置                      ２８…コンソール
４０…放射線検出器                  ４６…カセッテ制御部
４８、７８、９６…送受信機          ５０…検出部
７６…放射線源                      ８０…線源制御部
８８…状態判定部
【図１】
0005192914.tif 000002
【図２】
0005192914.tif 000003
【図３】
0005192914.tif 000004
【図４】
0005192914.tif 000005
【図５】
0005192914.tif 000006
【図６】
0005192914.tif 000007
【図７】
0005192914.tif 000008